(57)【特許請求の範囲】
【請求項１】
玩具であって、当該玩具は、
ａ）胴体を有し、
ｂ）翼を有し、該翼は畳まれたポジションと開いたポジションとを有し、該翼はまた、引き込まれた状態と伸ばされた状態をも独立的に有し、
ｃ）関節手段を有し、該関節手段は、前記翼と前記胴体との間の可動的なかつ解除可能な連結を達成するためのものであって、
該関節手段は、通常の作動の間において、畳まれたポジションと開いたポジションとの間の前記翼のピボット回転運動を可能にするように構成されており、
該関節手段は、畳まれたポジションに在る場合の前記翼に対して、空間を最小化する重なり合う構成を与えるように構成されており、
該関節手段は、前記翼に、破損または破壊的分解を引き起こし得るレベルに近づいた機械的な応力が加わった時に、前記連結を可逆的に解放するように構成されており、
該関節手段は、スナップ留めの様式で前記翼を受け入れ、かつ、前記連結を再形成するように構成されている、
前記玩具。
【請求項２】
当該玩具は、さらに、
ａ）第一の保持ラッチを有し、該第一の保持ラッチは、前記翼の内部に実質的に位置し、前記翼を前記の引き込まれた状態にロックするものであり、
ｂ）第二の保持ラッチを有し、該第二の保持ラッチは、前記胴体の内部に実質的に位置し、前記翼を前記の畳まれたポジションにロックするものであり、
ｃ）第一の付勢手段を有し、該第一の付勢手段は、前記第一の保持ラッチによってロックされていない場合の前記翼を、前記伸ばされた状態へと推し進めるものであり、
ｄ）第二の付勢手段を有し、該第二の付勢手段は、前記第二の保持ラッチによってロックされていない場合の翼を、完全に開いたポジションへと推し進めるものであり、
ｅ）展開手段を有し、該展開手段は、前記翼が前記畳まれたポジションから前記開いたポジションへと移動する場合の、前記第一の保持ラッチの自動的な解除のためのものである、
請求項１記載の玩具。
【請求項３】
さらに、係留手段を有し、該係留手段は、前記翼を前記胴体に恒久的に係留するためのものであり、前記関節手段が前記翼と前記胴体との間の前記連結を解除するときに、前記翼が前記胴体から完全に分離するのを妨げるためのものである、請求項１に記載の玩具。
【発明の詳細な説明】
【技術分野】
【０００１】
発明の分野
本発明は、引き込み可能な翼または同様の伸展部を有する玩具に関する。
【背景技術】
【０００２】
背景
玩具の分野においては、引っ込めることが可能な翼(wings)または同様の伸展部(extensions)を持つものが知られている。しかしながら、使用される材料および構造のために、このような翼は、伸ばされたときに壊れるか、または過度に曲がるか、またはこのような破損を回避するために過度に重いという傾向があった。例えば、先行技術における破損に対する耐性は、発泡体またはゴムなどの柔らかいかまたは弾力のある材料から翼を作ることによって達成されており、歯切れ良く(crisp)かつ正確(precise)な翼の展開、および、ぐらつかない長い翼を提供することができないという不可避の副次的な影響を伴っている。或いは、強固で、長く、歯切れ良く、かつ、耐破損性を有する、玩具の翼の構造が先行技術において知られているが、それは通常、薄くかつ非常に高価な構造用材料を使用するか、または、非常に厚く高価ではない材料（それは玩具に過度のかさ高さを与える）を使用するかのいずれかを含んでいる。
【先行技術文献】
【特許文献】
【０００３】
【特許文献１】米国特許第２８１０９８５号明細書
【特許文献２】米国特許第２２２１０１２号明細書
【０００４】
従って、先行技術の玩具のこれらの問題を回避した翼を有する玩具があることが望ましい。とりわけ、畳みかつ引き込み可能であると同時に、次の様であり得る翼を持った玩具があることが望ましい：
−それらの配置（畳むこと、開くこと、引き込むこと、伸ばすこと）において歯切れ良くかつ正確である；
−長く、幅広く、薄く、かつ、軽量である；
−伸ばされたときに長手方向の剛性が高い；
−畳まれかつ引き込まれたときに目立たずコンパクトである；
−虐待的な曲げ／捩り、および、硬い表面との高いエネルギーの衝突による破損または恒久的な変形に対して耐性を持っている；
−道具の不要な、誰にでも扱える(fool-proof)、所定位置へのはめ込み(snap-in-place）の組み立てと分解に適している；
−押しボタン式の即時の展開に適している；
−玩具胴体から取り外されたときに置き違えにくいかまたは紛失しにくい；
−製造するのに経済的でありかつ加工しやすい、一般的な高価でないプラスチック製である。
【発明の概要】
【０００５】
本発明は、上記で述べた望ましい特徴の全てを１つのパッケージにまとめた組み立て式かつ引き込み可能な玩具の翼についての長年の切実な必要性に、かなりの程度まで答える。
【０００６】
従って、本発明の主要な態様では、玩具が、以下の様である畳んで引き込み可能な翼を備えている：
−それらの展開配置（畳むこと(folding)、開くこと（unfolding、畳まれたものを広げること）、引き込むこと(retracting、引っ込めること)、伸ばすこと(extending)）において歯切れ良くかつ正確である；
−長く、幅広く、薄くかつ軽量である；
−伸ばされたときに長手方向の剛性が高い；
−畳まれ引き込まれたときに目立たずコンパクトである；
−虐待的な曲げ／捩りおよび硬い表面との高いエネルギーの衝突による破損または恒久的な変形に対して耐性を持っている；
−道具の不要な、誰にでも扱える、所定位置へのはめ込みの組み立てと分解に適している；
−押しボタン式の即時の展開に適している；
−玩具胴体から取り外されたときに置き違えにくいかまたは紛失しにくい；
−製造するのに経済的でありかつ加工しやすい、一般的な高価でないプラスチック製である。
【０００７】
本発明のこれらおよび他の態様および利点は、添付の図面と併せて以下の詳細な説明を考慮した上で、当業者には明らかであろう。
【図面の簡単な説明】
【０００８】
【図１】図１は、翼が畳まれかつ引き込まれた、好ましい実施形態の背面の立面図(elevation view)である。
【図２】図２は、翼が開かれかつ伸ばされた、好ましい実施形態の背面の立面図である。
【図３】図３は、翼が畳まれかつ伸ばされた、好ましい実施形態の背面の立面図である。
【図４】図４は、翼が畳まれかつ引き込まれ、かつ、バックパック(backpack)カバーが定位置にある、好ましい実施形態の背面の立面図である。
【図５】図５は、翼が開かれかつ伸ばされ、かつ、バックパックカバーが定位置にある、好ましい実施形態の背面の立面図である。
【図６】図６は、翼が開かれかつ伸ばされ、かつ、バックパックカバーが定位置にある、好ましい実施形態の側面の斜視図である。
【図７】図７は、各翼を玩具胴体に係留する糸(strings)を示した、別の実施形態の背面の立面図である。
【図８】図８は、好ましい実施形態の分解立体図である。
【図９】図９Ａは、好ましい実施形態の翼部の分解立体図であって、バックパックカバーの外側の面を示している。図９Ｂは、図９Ａに示されたバックパックカバーの斜視図であって、バックパックカバーの内側の面を示している。
【図１０】図１０は、好ましい実施形態の分解立体図(exploded 3D view)である。
【図１１】図１１は、好ましい実施形態の別の分解立体図である。
【図１２】図１２、１３、１４、１５、１６および１７は、翼の典型的な一連の位置を示した背面の立面図であって、完全に畳まれかつ引き込まれた位置から始まり、次いで完全に開かれ伸ばされ、その後、完全に畳まれかつ引き込まれた位置に戻っている。指示および矢印が各イメージに追加されて、玩具の部品の動きおよび使用者の典型的な行動を説明している。
【図１３】図１２、１３、１４、１５、１６および１７は、翼の典型的な一連の位置を示した背面の立面図であって、完全に畳まれかつ引き込まれた位置から始まり、次いで完全に開かれ伸ばされ、その後、完全に畳まれかつ引き込まれた位置に戻っている。指示および矢印が各イメージに追加されて、玩具の部品の動きおよび使用者の典型的な行動を説明している。
【図１４】図１２、１３、１４、１５、１６および１７は、翼の典型的な一連の位置を示した背面の立面図であって、完全に畳まれかつ引き込まれた位置から始まり、次いで完全に開かれ伸ばされ、その後、完全に畳まれかつ引き込まれた位置に戻っている。指示および矢印が各イメージに追加されて、玩具の部品の動きおよび使用者の典型的な行動を説明している。
【図１５】図１２、１３、１４、１５、１６および１７は、翼の典型的な一連の位置を示した背面の立面図であって、完全に畳まれかつ引き込まれた位置から始まり、次いで完全に開かれ伸ばされ、その後、完全に畳まれかつ引き込まれた位置に戻っている。指示および矢印が各イメージに追加されて、玩具の部品の動きおよび使用者の典型的な行動を説明している。
【図１６】図１２、１３、１４、１５、１６および１７は、翼の典型的な一連の位置を示した背面の立面図であって、完全に畳まれかつ引き込まれた位置から始まり、次いで完全に開かれ伸ばされ、その後、完全に畳まれかつ引き込まれた位置に戻っている。指示および矢印が各イメージに追加されて、玩具の部品の動きおよび使用者の典型的な行動を説明している。
【図１７】図１２、１３、１４、１５、１６および１７は、翼の典型的な一連の位置を示した背面の立面図であって、完全に畳まれかつ引き込まれた位置から始まり、次いで完全に開かれ伸ばされ、その後、完全に畳まれかつ引き込まれた位置に戻っている。指示および矢印が各イメージに追加されて、玩具の部品の動きおよび使用者の典型的な行動を説明している。
【図１８】図１８は、翼が伸ばされ、かつ、ピボット関節から外された、好ましい実施形態の背面の立面図である。
【図１９】図１９は、好ましい実施形態におけるバックパックカバーの裏面の立面図である。
【図２０】図２０は、翼の先端の電灯を備えた実施形態の翼部の分解立体図である。
【図２１】図２１は、翼の下側の機能的な特徴を露出させるために、ピボット関節から部分的に外されている翼の下側の斜視図である。
【発明を実施するための形態】
【０００９】
好ましい実施形態の詳細な説明
図１は、好ましい実施形態に従った玩具２を示している。該玩具２は、胴体４、スペースヘルメット８を有する頭部６、２本の腕１０Ａ、１０Ｂ、２本の脚１２Ａ、１２Ｂ、および、畳んで引き込み可能な２つの翼１４Ａ、１４Ｂを有している。図１に示すように、畳まれかつ引き込まれたときに、翼１４Ａ、１４Ｂは、玩具２の背中で一方が他方の下に重なり合う。バックパックカバー１６は、重なり合ったポジションにあるそれら翼１４Ａ、１４Ｂを実質的に覆い、畳まれた翼を視界から隠し、より審美的に満足のいく流線型の外観を玩具２に与えている。
【００１０】
図９Ｂに示すように、バックパックカバー１６は、外側面１８、および、内面２０（通常は、翼１４Ａ、１４Ｂに面している）を有する。別の実施形態では、バックパックカバー１６は無くてもよく、玩具２の機能に実質的に影響することはない。図９Ｂは、また、バックパックカバー１６の内側面２０を見せた図であって、翼１４Ａ、１４Ｂ上の引き込みラッチ解除レバー１５（図１８に示されている）と係合するように位置したノブ１３を示している。
【００１１】
図４から図６に示す好ましい実施形態では、バックパックカバー１６は、翼１４Ａ、１４Ｂの配置（畳むこと、畳んだものを開くこと、引き込むこと、伸ばすこと）を妨げないように、玩具の胴体上に位置する。図９Ａおよび９Ｂに示すように、該バックパックカバー１６は、その内側面２０に取り付けられた２つのピン２２Ａ、２２Ｂを有し、これらのピンは、球形の頭部２４Ａ、２４Ｂ（図１９に示されている）を有する。該球形の頭部２４Ａ、２４Ｂは、玩具の胴体の背中に固定された適切な大きさのそれぞれ弾力のあるレセプタクル（受け器）２６Ａ、２６Ｂに取り外し可能にパチンとはまり、バックパックカバー１６を定位置に保持する。畳まれた翼１４Ａ、１４Ｂへのアクセスおよび玩具の胴体の背中へのアクセスを望むときには（例えばバッテリー区画室(compartment)の扉またはバッテリーパックカバー２８にアクセスするため）、バックパックカバー１６は、外側に引く力を加えることにより比較的容易にパチンと外れ得る。該バックパックカバー１６は、押す力を加えることによりパチンと付け戻され得る。該バックパックカバー１６はまた、例えば虐待的な曲げ／捩り、または、床に落とされたときに起こるような硬い表面との高エネルギーの衝突により、翼自体が胴体からパチンと外れても、破損することなく自然にパチンと外れ得る。
【００１２】
個々の翼１４Ａ、１４Ｂは、下側面の部品３０Ａ、３０Ｂと、上面の部品３２Ａ、３２Ｂを有する。各下側の部品３０Ａ、３０Ｂは、それぞれ下側部品の開口部３４Ａ、３４Ｂを有する。各上面の部品３２Ａ、３２Ｂは、それぞれ上面の部品の開口部３６Ａ、３６Ｂを有する。各下側面の部品３０Ａ、３０Ｂは、それぞれの開口部を位置合わせして、各上面の部品３２Ａ、３２Ｂに連結される。翼１４Ａ、１４Ｂは、関節柱(articulation post)３８Ａ、３８Ｂのまわりをピボット回転することができ、該関節柱は、それぞれの孔穴(aperture)を通って位置し、それぞれの翼１４Ａ、１４Ｂを玩具の胴体の背中と連結している。
【００１３】
翼１４Ａ、１４Ｂは、それぞれの翼の先端部４０Ａ、４０Ｂを有し、それらは、それぞれの下側面の部品３０Ａ、３０Ｂとそれぞれの上面の部品３２Ａ、３２Ｂとの間に形成された空間から、スライド可能に伸びまた引き込まれる。
【００１４】
いくつかのバネ、ラッチ、および、停止機構(stopping mechanisms)が協働して、各翼１４Ａ、１４Ｂの、胴体の長手方向軸に対する２つの安定な角度のポジション（畳まれたポジションと、開いた(unfolded、畳まれていない）ポジションを定めている。例えば、図１および図３に示した畳まれたポジションでは、翼の長手方向（基部から先端へ）の軸は、概しては、玩具の胴体の長手方向軸とそろっている(aligned)。例えば、図２に示した畳まれていないポジションでは、翼の長手方向（基部から先端へ）の軸は、概して、玩具の胴体の長手方向軸を横切る角度であり、航空機の胴体に対する航空機翼のポジションに類似している。バネが、畳まれていないポジションに向かう恒久的な付勢力(bias)を翼１４Ａ、１４Ｂに与えるのに対し、畳みラッチが(folding latches)、畳まれたポジションに翼を保持しておく働きをする。このように、翼は、畳まれているときにバネの負荷を受け(spring-loaded)、畳みラッチが外れたときに畳まれていないポジションへと急に動く。
【００１５】
両方の翼１４Ａ、１４Ｂが畳まれたポジションにある状態でのコンパクトさを向上させるために、翼１４Ａ、１４Ｂと胴体４との間のピボット関節（pivoting articulations）は、翼の角回転面に垂直な方向へのわずかな動きを可能にし、かかる動きを与える。一方の翼がその畳まれたポジションの方に向かってピボットして角回転するとき、そのピボットは、玩具の胴体に向けて内側に軸方向にスライドし、畳まれた翼を玩具の背中表面にわずかに近づける。第二の翼がその畳まれたポジションに向かってピボットして角回転するとき、そのピボットは、玩具の胴体から外側に軸方向にスライドし、第二の畳まれた翼を玩具の背中表面からわずかに離す。上記の２つの動作の組み合わせの結果、両方の翼を畳んだとき、一方の翼が他方の翼の下にスライドし、その下でコンパクトに重なり合うことが可能になっている。このことは、翼が畳まれた形態のコンパクトさの向上に起因して、より幅の広い翼をより細い胴体上に収容しながら、流線型の胴体の外形を維持するのに役立つ。
【００１６】
その角度のポジション（畳まれた／畳まれていない）とは無関係に、個々の翼１４Ａ、１４Ｂはまた、長さにおいて引き込み可能な翼でもある。各翼は、望遠鏡式(telescopic)の構造となっており、２つの部分からなる。それは、基部（それぞれの下側面の部品３０Ａ、３０Ｂと、上面の部品３２Ａ、３２Ｂを含む）、および、先端部（基部内から自在に伸縮する）。いくつかのバネ、ラッチおよび停止機構が協働して、各翼について２つの安定な状態を定める。それは、引き込まれた状態（例えば、図１に示す）、および、伸ばされた状態（例えば、図２および図３に示す）である。伸展バネは、伸ばされた状態に向かう恒久的な伸縮する（telescoping）バイアスを各翼に与えるのに対し、引き込みラッチは、翼を引き込んだ状態に固定しておく働きをする。引き込みラッチは解除レバー１５を有し、該解除レバーは翼表面から突き出しており、係合したときに、ラッチを解除することができ、翼をその伸びた状態へと急に動かす。これらの解除レバー１５に係合するように、ノブ１３および突起が、（図１９に示すように）バックパックカバーの内側面に、および／または、玩具の胴体の背中上に設けられる。該ノブおよび突起は、畳まれていないポジションへの翼の弧を描く(sweeping)動きの間に、該翼上にある解除レバー１５を捕らえて係合するように配置されている。図２１は、翼１４の下側の機能的な特徴を露出させるためにピボット関節３８から部分的に外された該翼１４を示しており、より細かに言うと、翼１４の下側面上の引き込みラッチ解除レバー１５、該引き込みラッチ解除レバー１５に係合するノブ１３、および、当該玩具の胴体に翼１４を連結するピボット関節３８を示している。
【００１７】
好ましい実施形態では、図１２に示すように、使用者が、玩具の胸部６２上のボタン６０を押して、ラッチ（該ラッチは、バネの負荷を受けた(spring-loaded)翼を畳まれたポジションに保持している）を解除することにより、翼１４Ａ、１４Ｂが開くのを始動させる。ボタン６０を押すことは、図１２に動作「Ａ」として示されている。翼１４Ａ、１４Ｂの開く動作が進行中になると、バックパックカバー上および／または玩具の胴体の背中上のノブ１３および突起が、各翼上の引き込みラッチ解除レバー１５と係合し、玩具使用者からのいかなる追加の入力もなしに、自動的に各翼をその完全に伸びた長さへと望遠鏡式に延伸させる。
図１２には、翼１４Ａおよび１４Ｂが外にスィングすることが、動作「Ｂ」として示されており、翼の先端部４０Ａ、４０Ｂがポンと出ることが、動作「Ｃ」として示されている。図１３は、図１２のこれらの動作の結果を示しており、両方の翼１４Ａ、１４Ｂが広げられている。ここで図１４に転じると、同図には本発明の実施態様による玩具が示されており、バックパックが外され、翼１４Ａ、１４Ｂは完全に広げられている。使用者はそれから、図１４に動作「Ｄ」として示すように、カチッという音が聞こえるまで両方の翼１４Ａ、１４Ｂを内向きに回転させることができ、次いで、図１５に動作「Ｅ」として示すように、翼１４Ａ、１４Ｂの各翼の先端部４０Ａ、４０Ｂを、それらが所定位置にロックされるまで、上向きに押すことができる。図１６は、図１４、１５の動作の結果を示しており、両方の翼１４Ａ、１４Ｂがロックされ、畳まれ、かつ、引き込まれており、そして、図１７は、使用者がバックパックカバー１６を戻して設置した結果を示している。
ここで図１８へと移ると、同図には、好ましい実施形態において、一方の翼が、該翼の下側の面（玩具の胴体の背中に面している)上に位置する上記引き込みラッチ解除レバー１５を有しており、該レバーは玩具の胴体上に配置されたノブ（図示せず）と係合し得るようになっている。他方の翼は、その上面（バックパックカバーに面している）上にその解除レバー（図示せず）を有しており、そのためそれはバックパックカバーの内側面上に配置されたノブ１３と係合し得る。代替的な実施形態では、翼１４Ａ、１４Ｂは、バックパックカバーの内側または玩具の胴体上のいずれかに配置された対応するノブと係合することができるように、それらの下側またはそれらの上面上のいずれかにそれらの収縮ラッチ解除レバーを有してもよい。
【００１８】
代替的な実施形態では、バネの負荷を受けている翼１４Ａ、１４Ｂの開きを始動させるボタンがなく、使用者は各翼上のラッチが外れるまで外向きに各翼を引っ張ることにより開くこと(unfolding)を開始させる必要があり、そして各翼は、バネ仕掛けの展開を完了するように進み、その後に続いて、前の段落に記載されたように、バネの負荷を受けた翼が伸びた状態へと延伸する。
【００１９】
図２０を参照すると、更に代替的な実施形態では、翼の先端が、操作可能な電球またはＬＥＤ２０２を有する。細くしなやかな電気ケーブル２０６（各翼の内部空間を通される）が、好ましくは玩具の胴体内に配置されるバッテリーパック２０４と翼の先端のライトとを接続している。集積回路手段（これも好ましくは玩具の胴体内に配置される）が、翼の先端のライトと種々の他の胴体のライトの操作、並びに、付随する音を制御するために使用され得る。更に代替的な実施形態では、集積回路がなく、単純な接触スイッチが、翼の展開に応じて翼の先端のライトを点灯し、翼が畳まれ引き込まれたときに該ライトを消す。
【００２０】
翼１４Ａ、１４Ｂを元に引き込ませかつ畳むことは、全ての実施形態において手動で行なわれ、各翼上の畳みラッチが係合するまで各翼を内向きに回転させ、続いて各翼上の引き込みラッチが係合するまで各翼の先端部をその基部内に押し込むことによって行なわれる。
【００２１】
翼と玩具の胴体との間のピボット関節は、該関節の所定位置へのはめ込み(snap-in-place）の組み立ておよび分解が可能であるように構成され、それは、いかなる道具も、玩具の典型的な使用者（子供）が有するであろう力を超える過度の力も使う必要が無いように構成される。該ピボット関節は、高い機械的応力に耐え、そして翼の展開中の歯切れ良く正確な動き、並びに、翼が完全に伸展したポジションにある玩具を力強く操作する間の強靱な剛性を備えるように構成される。しかしながら、翼と玩具の胴体との間のピボット関節は、虐待的な曲げ／捩り、玩具を床に落とすことや他の硬い表面との高エネルギーの衝突などにより、機械的応力負荷が翼の構成要素の破損または破壊的分解を引き起こし得るレベルに近づいた場合には、ピボット関節から翼が自動的に解放される（例えば、パチンと外れる）ように設計される。バックパックカバー１６も、翼１４Ａ、１４Ｂの一方がピボット関節から外されるときはいつでもパチンと外れるよう設計され、従って、応力負荷が翼１４Ａ、１４Ｂの破損を引き起こすかなり前に、その翼１４Ａ、１４Ｂが玩具の胴体から非破壊的に切り離されることが保証される。
【００２２】
この正確な、非破壊的、安全解放(safety release)アクションは、玩具が、一般的な高価でないプラスチックで構築された、長く、薄くそして軽量の強固な翼を備えることを可能にし、それでもそのアクションは、玩具が耐破損性であることを保証し、またその破損が鋭利な縁を生じさせないことを保証するように設計された全ての安全性試験および落下試験を該玩具が通過することを可能にする。このようなピボット関節からの翼の安全解除を生じさせる任意の出来事の後、該玩具は、先にパチンと外された任意の部分（例えば翼１４Ａ、１４Ｂまたはバックパックカバー１６）を定位置にパチンと戻すことにより、その本来の形態へと容易に組み立て直され得る。更に、図７に示されるような好ましい実施形態では、それぞれの翼１４Ａ、１４Ｂは、切り離された翼が、ある長さの細いひも５０Ａ、５０Ｂによって、胴体に目立たないように係留され、それによって、紛失、置き違え、または、玩具２の一般的な近傍(general proximity)からの持ち去りがされ得ないことを保証している。別の実施形態では、係留するひも５０Ａ、５０Ｂは省略され得る。更に別の実施形態では、翼の先端のライトが玩具の胴体の内部のバッテリーパックと連結される。補強された細い電線も、翼のための係留具の役割を果たすことができる。
【００２３】
開示されたものに加えて、対象の組み立て式かつ引き込み可能な翼玩具についての多くの変更、改変、バリエーション並びに他の使用および適用が可能であり、予期されることが、本明細書を再検討した後には当業者に明らかであり、そして本発明の趣旨および範囲から逸脱しない全てのこのような変更、改変、バリエーション並びに他の使用および適用が、以下の特許請求の範囲によってのみ限定される本発明に包含されると見なされる。
【図１】
0005564103.tif 000002
【図２】
0005564103.tif 000003
【図３】
0005564103.tif 000004
【図４】
0005564103.tif 000005
【図５】
0005564103.tif 000006
【図６】
0005564103.tif 000007
【図７】
0005564103.tif 000008
【図８】
0005564103.tif 000009
【図９】
0005564103.tif 000010
【図１０】
0005564103.tif 000011
【図１１】
0005564103.tif 000012
【図１２】
0005564103.tif 000013
【図１３】
0005564103.tif 000014
【図１４】
0005564103.tif 000015
【図１５】
0005564103.tif 000016
【図１６】
0005564103.tif 000017
【図１７】
0005564103.tif 000018
【図１８】
0005564103.tif 000019
【図１９】
0005564103.tif 000020
【図２０】
0005564103.tif 000021
【図２１】
0005564103.tif 000022